(57)【要約】  【課題】  机の上に置く物品を収納し、整理することによって机の上の空間を効率よく利用できるとともに、原稿を見ながらコンピュータに入力する作業を行う場合、原稿を見やすい位置に置くことができる多目的原稿支持具を提供する。  【解決手段】  本体に、それぞれクリップボード、メモ用紙、筆記具、光ディスクを収納する複数の収納溝を形成し、該本体を文鎮として使用する。【選択図】  図１
0003111288.tif 000002
【実用新案登録請求の範囲】
【請求項１】
本体に、それぞれクリップボード、メモ用紙、筆記具、光ディスクを収納する複数の収納溝を形成し、該本体を文鎮として使用することを特徴とする多目的原稿支持具。
【請求項２】
前記本体の底面に底板を設け、該本体の重量を増加させるように構成することを特徴とする請求項１に記載の多目的原稿支持具。
【請求項３】
前記複数の収納溝が深い溝状の第一収納溝と、前端にガイド溝を形成した第二収納溝と、両側面を開放状に形成した第三収納溝と、円弧状の凹窩である第４収納溝を含むことを特徴とする請求項１に記載の多目的原稿支持具。
【請求項４】
前記ガイド溝内が前後に傾斜した形状を呈することを特徴とする請求項３に記載の多目的原稿支持具。
【請求項５】
前記ガイド溝内に球体を転動自在に設けることを特徴とする請求項３に記載の多目的原稿支持具。
【考案の詳細な説明】
【技術分野】
【０００１】
この考案は原稿を見ながらコンピュータに入力する等の場合に、該原稿を支持する原稿支持具に関し、特に通常、机上に置く事務用品を収納して整理できる多目的原稿支持具に関する。
【背景技術】
【０００２】
一般の習慣として、事務机、家庭用のワーキングデスク、パソコンデスク上に光ディスク等のコンピュータ用品、もしくはその他物品を置くことが多い。また、事務作業の便宜を図るため机の上には原稿などの文書、メモ用紙等を置く。また、文書が机の上から落ちないように、例えば文鎮等の重しを文書上に置く場合もある。但し、机の上にこれら文書、光ディスク、メモ用紙等あまりにも多くの物品を置くと、机の上が明らかに雑然とし、甚だしくはこれら物品に予期せず損傷を与える場合がある。このため、これら物品を分類して整理する必要がある。例えば文書などはクリップボードを利用してまとめ、光ディスクはケース、もしくは収納用の袋を利用する。メモ用紙は箱などに収める。
【０００３】
但し、一般の事務机、ワーキングデスク、パソコンデスク上の空間には限りがあり、クリップボード、光ディスクケース、メモ用紙収納箱等を置くと、限りある空間が更に縮小する。係る問題は日常よく起きる問題である。
【０００４】
また、パソコンデスク上で原稿を見ながらコンピュータに入力する場合、原稿などの文書をめくったり、置く位置を変更したりして作業の便宜を図る。この場合、原稿などの文書は、原稿の内容を見ながらコンピュータに入力するため、直接パソコンデスク上の見やすい位置に置くか、クリップボードで文書を挟んでコンピュータの隣に置く。但し、上述するように机の上の空間は限られたものであり、この限られた空間に多くの物品などを置くと、見やすい位置に原稿等の文書を置くことができない場合があって作業の進度に影響を与える。
【０００５】
即ち、上述するように、机上に置く様々な物品は、それぞれ分類して収納し、整理することができるが、机上の利用できる空間を縮小することに繋がり、原稿を見ながらコンピュータに入力する作業を行う場合、原稿を見やすい位置に置くことが難しくなる場合もある。よって、机の上が雑然とすることなく整理され、且つ使い易くするための方法を講じる必要がある。
【考案の開示】
【考案が解決しようとする課題】
【０００６】
この考案は通常、机の上に置く物品を収納し、整理することによって机の上の空間を効率よく利用できるとともに、原稿を見ながらコンピュータに入力する作業を行う場合、原稿を見やすい位置に置くことができる多目的原稿支持具を構成することを課題とする。
【課題を解決するための手段】
【０００７】
そこで、本考案者は従来の技術に見られる欠点に鑑み鋭意研究を重ねた結果、本体に、それぞれクリップボード、メモ用紙、筆記具、光ディスクを収納する複数の収納溝を形成し、該本体を文鎮として使用することを特徴とする多目的原稿支持具の構造によって課題を解決できる点に着眼し、かかる知見に基づいて本発明を完成させた。
【０００８】
以下、この考案について具体的に説明する。
請求項１に記載する多目的原稿支持具は、本体に、それぞれクリップボード、メモ用紙、筆記具、光ディスクを収納する複数の収納溝を形成し、該本体を文鎮として使用する。
【０００９】
請求項２に記載する多目的原稿支持具は、請求項１における本体の底面に底板を設け、該本体の重量を増加させるように構成する。
【００１０】
請求項３に記載する多目的原稿支持具は、請求項１における複数の収納溝が深い溝状の第一収納溝と、前端にガイド溝を形成した第二収納溝と、両側面を開放状に形成した第三収納溝と、円弧状の凹窩である第４収納溝を含む。
【００１１】
請求項４に記載する多目的原稿支持具は、請求項３におけるガイド溝内が前後に傾斜した形状を呈する。
【００１２】
請求項５に記載する多目的原稿支持具は、請求項３におけるガイド溝内に球体を転動自在に設ける。
【考案の効果】
【００１３】
本考案の多目的原稿支持具は、机の上の事務用品を効率よく収納し、机の上の空間を効率よく利用できるとともに、原稿などの文書を適宜な場所に設置できるという利点がある。
【考案を実施するための最良の形態】
【００１４】
この考案は多目的原稿支持具を提供するものであって、本体にクリップボード、及びその他事務用品を収納する複数の溝を形成し、机の上の事務用品を効率よく収納し、机の上の空間を効率よく利用できるとともに、原稿などの文書を適宜な場所に設置するという目的を、実現した。
係る構成の多目的原稿支持具について、その構造と特徴を詳述するために具体的な実施例を挙げ、以下に説明する。
【実施例】
【００１５】
この考案による多目的原稿支持具は、図１、２に開示するように本体１に複数の収納溝を形成してなる。本考案の実施例においては、第一収納溝１１と、第二収納溝１２と、第三収納溝１３と、第四収納溝１４とを形成する。
【００１６】
第一収納溝１１は深い溝状に形成し、第二収納溝１２は前端にガイド溝１５を形成し、該ガイド溝１５内に球体２０を転動自在に設ける。第三収納溝１３は両側面が開放状に形成され、第四収納溝１４は円弧状の凹窩となるように形成する。また、本体１０の底面には底板３０を設けて本体１０の重量を増加させる。
【００１７】
図３に開示するように、本体１０は文書４０が机の上から容易に落ちないようにするための文鎮の効果を有する。即ち、机の上に置いた文書４０の一端を本体１０で押さえることができる。この場合、図２に開示するように底板３０の重量で文書４０を押圧して押さえる。また、第一収納溝１１は筆記具５０の収納に供することができる。よって、本体１０で文書４０を押さえた状態で、筆記具５０をすぐに取り出して文書４０に文字などを記入することができる。
【００１８】
図４に開示するように第二収納溝１２にはメモ用紙６０を収納する。第２収納溝のガイド溝１５は、図２に開示するように前部が高く、後部が低い傾斜状に形成するため、球体２０は自動的に後方に転動する。即ちガイド溝１５内において球体２０が低い方に転動するため、メモ用紙６０が球体２０の押圧によって第二収納溝１２の内壁に密接した状態となり、溝から落ちることを防ぐ。メモ用紙６０を取り出す場合、球体２０は自動的に回転し、自身の重量によって再度メモ用紙６０を押圧して内壁に密接させる。
【００１９】
図５に開示するように、第三収納溝１３は両側面が開放状を呈するため、クリップボード７０等の設置に供することができる。即ち本体１０をコンピュータの表示装置の隣などの適宜な場所に置いて、クリップボード７０を第三収納溝１３に設置し、文書４０をクリップボード７０に挟持することによって文書４０が見やすい位置に固定され、原稿を見ながらコンピュータに入力する作業が便利になる。
【００２０】
図６に開示するように、第四収納溝１４は光ディスク８０の収納に供することができる。また、図２に開示するように第四収納溝１４は円弧状の凹窩であるため、光ディスク８０を収納するとともに、光ディスク８０が容易に第四収納溝から落ちることがない。即ち第四収納溝１４によって光ディスク８０を収納し、整理する目的を達成することができる。
【００２１】
以上をまとめると、この考案による多目的原稿支持具は、本体１０にそれぞれ異なる形状の収納溝を複数形成し、それぞれ異なる事務用品等を収納して整理するものである。また、本体１０の底面に底板３０を設けて本体１０の重量を増加させることによって本体１０を文鎮として使用することができる。即ち、本考案によれば、原稿支持具に様々な事務用品などを収納し、机上の空間を効率よく使用することができる。
【００２２】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案登録請求の範囲に属するものとする。
【図面の簡単な説明】
【００２３】
【図１】この考案による多目的原稿支持具の斜視図である。
【図２】図１に開示する多目的原稿支持具の断面図である。
【図３】図１に開示する多目的原稿支持具の使用態様を示した説明図である。
【図４】この考案における収納溝にメモ用紙を収納した状態を示した説明図である。
【図５】この考案における収納溝にクリップボードを設置した状態を示した説明図である
【図６】この考案における収納溝に光ディスクを収納した状態を示した説明図である
【符号の説明】
【００２４】
１０          本体
１１          第一収納溝
１２          第二収納溝
１３          第三収納溝
１４          第四収納溝
１５          ガイド溝
２０          球体
３０          底板
４０          文書
５０          筆記具
６０          メモ用紙
７０          クリップボード
８０          光ディスク
【図１】
0003111288.tif 000003
【図２】
0003111288.tif 000004
【図３】
0003111288.tif 000005
【図４】
0003111288.tif 000006
【図５】
0003111288.tif 000007
【図６】
0003111288.tif 000008